(57)【要約】【課題】優れた組立性を維持しつつ野菜室供給風路の気密性を高め、野菜室の温度を適切に維持することができる冷蔵庫を提供する。【解決手段】上段の冷蔵室３と中段の冷凍室４〜６と下段の野菜室７とに区画される貯蔵室と、冷凍室４〜６の奥を経由して野菜室７へと冷気を供給する野菜室供給風路１８と、を備え、野菜室供給風路１８を、冷却室１３を区画する仕切体２５及び冷凍室供給風路１４を区画する前面カバー２４とは別に独立して設けられる野菜室風路カバー２６によって区画される空間に形成する。これにより、野菜室供給風路１８の組立性が向上すると共に、気密性を向上させることができる。その結果、冷却室１３や冷凍室供給風路１４から野菜室供給風路１８への、またはその逆方向の空気の漏れを防止でき、野菜室７の冷え過ぎや冷却不良を回避し、野菜室７を適切な温度に維持することができる。【選択図】図４
2015004489.tif 000002
【特許請求の範囲】
【請求項１】
断熱仕切壁によって少なくとも上段の冷蔵室と中段の冷凍室と下段の野菜室とに区画される貯蔵室と、
仕切体によって区画され、前記冷凍室の奥に形成される冷却室と、
前記冷却室に配設され、前記貯蔵室に供給する空気を冷却する冷却器と、
前記仕切体の前方に前面カバーを取り付けることにより形成され、前記冷却器で冷却された前記空気を流す冷凍室供給風路と、
前記空気を前記冷凍室の奥を経由して前記野菜室へと供給する野菜室供給風路と、を備え、
前記冷凍室の奥に形成される前記野菜室供給風路は、前記仕切体及び前記前面カバーとは別に設けられる野菜室風路カバーによって区画された空間に形成されることを特徴とする冷蔵庫。
【請求項２】
前記野菜室風路カバーの内側には、前記野菜室供給風路を形成する筒状の断熱部材が設けられることを特徴とする請求項１に記載の冷蔵庫。
【請求項３】
前記野菜室供給風路は、前記冷凍室の上面及び底面を各々形成する前記断熱仕切壁の内部を経由するよう形成され、
前記野菜室風路カバーまたは前記断熱部材の少なくとも何れか一方は、該上下端面がシール部材を介して前記断熱仕切壁と各々結合することを特徴とする請求項２に記載の冷蔵庫。
【請求項４】
前記冷蔵室及び前記野菜室に流す前記空気の量を１つの駆動モータで各々独立して制御可能なダンパ装置と、を備え、
前記ダンパ装置は、前記冷凍室の上面を形成する前記断熱仕切壁の奥に、該最上部が前記冷蔵室の底面より下方になるよう配設され、
前記野菜室供給風路は、前記冷蔵室を経由しないことを特徴とする請求項３に記載の冷蔵庫。
【請求項５】
前記冷蔵室から前記冷却室へと空気を流す帰還風路と、を備え、
前記帰還風路は、前記貯蔵室を形成する断熱箱体の内壁と前記野菜室風路を形成する前記断熱部材とによって囲まれて形成されることを特徴とする請求項４に記載の冷蔵庫。
【発明の詳細な説明】
【技術分野】
【０００１】
本発明は、貯蔵室内に食品等を冷却保存する冷蔵庫に関し、特に、冷却器で冷却された空気を野菜室へと供給する供給風路を有する冷蔵庫に関する。
【背景技術】
【０００２】
従来、上段に冷蔵室、中段に冷凍室、下段に野菜室を配置し、中段に配置される冷凍室の奥に冷却器を収納する冷却室を設けた、いわゆるミッドフリーザータイプの冷蔵庫が知られている。この種の冷蔵庫において、冷却器で冷却された空気を野菜室に供給するための野菜室供給風路を冷凍室の奥に形成することがある（例えば、特許文献１、特許文献２）。
【０００３】
特許文献１に開示された冷蔵庫は、冷蔵庫の最上段に位置する冷蔵室と、最下段に位置する野菜室とを連通し、冷蔵室を経由した冷気を野菜室へと導く野菜室供給風路（同文献では、野菜室送風ダクトと記載）を備えている。冷凍室の背部には、冷却器を収納する冷却室（同文献では、冷気送風ダクト）が、仕切体（同文献では、エバカバー）と内箱とによって形成されている。同文献の野菜室供給風路（野菜室送風ダクト）は、冷凍室の奥に形成され、冷却室（冷気送風ダクト）に隣接して設けられている。
【０００４】
また、特許文献２に開示された冷蔵庫は、冷却器で冷却された空気を、冷蔵室を経由させずに、直接野菜室に供給する野菜室供給風路（同文献では、冷気通路）を有する。同文献の野菜室供給風路（冷気通路）は、冷却室を形成する仕切体（同文献では、背面部材）と、冷却室の前方に冷凍室供給風路を形成する仕切体（同文献では、カバー部材）とによって形成されている。具体的には、冷却室を形成する仕切体（背面部材）に上下方向に延在する凹部を形成し、前記凹部を前面カバー（カバー部材）で覆って野菜室供給風路（冷気通路）を形成している。
【０００５】
また、同文献に開示された冷蔵庫は、冷蔵室及び野菜室に送る冷気を制御するダンパ装置を備えている。該ダンパ装置は、冷凍室の後方投影面内に収めて配設されており、冷却室を形成する仕切体（背面部材）に組み込まれている。
【先行技術文献】
【特許文献】
【０００６】
【特許文献１】特開２０１１−５２９０７号公報（第７−７頁、第２図）
【特許文献２】特開２００８−５７９０２号公報（第６−９頁、第７図）
【発明の概要】
【発明が解決しようとする課題】
【０００７】
しかしながら、従来技術の冷蔵庫では、野菜室供給風路の気密性を確保することが難しく、その結果、野菜室の適切な温度管理が阻害されるという問題点があった。
【０００８】
具体的には、一体成形された仕切体と内箱との間に冷却室と野菜室とを同時に形成する場合、仕切体の寸法誤差やウレタン発泡による内箱の変形等により、野菜室供給風路と冷却室とを区画するシール部分（仕切体と内箱との当接部）に隙間が生じ易かった。
【０００９】
その結果、例えば、野菜室の温度が所定の目標値まで低下し、野菜室への冷気の供給を停止しているときに、冷却室から前述した隙間を介して野菜室供給風路へと冷気が漏れ、野菜室が冷え過ぎる原因となっていた。
【００１０】
他方、野菜室の冷却を行っているときには、送風機の運転により冷却室が負圧になり野菜室供給風路の圧力が冷却室の圧力よりも高くなるので、野菜室供給風路から前記の隙間を介して冷却室へと冷気が吸引され、野菜室が冷却不良になる恐れがある。
【００１１】
また、特許文献２に開示された冷蔵庫のように、一体成形された仕切体と一体成形された前面カバーとによって、冷凍用供給風路と野菜室供給風路とを同時に形成する場合も、冷凍用供給風路と野菜室供給風路との間の気密性を確保することが難しかった。即ち、冷凍用供給風路と野菜室供給風路とを区画するシール部（仕切体と前面カバーとの当接部）をネジ止めすることが困難であったので、当該部分で仕切体と前面カバーとの間に隙間が生じ易かった。
【００１２】
冷凍用供給風路と野菜室供給風路とのシール部に隙間があると、野菜室の冷却を行っていないときに冷凍室供給風路から野菜室供給風路へと温度の低い空気が漏れ、野菜室が冷え過ぎてしまう。
【００１３】
本発明は、上記の事情に鑑みてなされたものであり、優れた組立性を維持しつつ野菜室供給風路の気密性を高め、野菜室の温度を適切に維持することができる冷蔵庫を提供することを目的とする。
【課題を解決するための手段】
【００１４】
本発明の冷蔵庫は、断熱仕切壁によって少なくとも上段の冷蔵室と中段の冷凍室と下段の野菜室とに区画される貯蔵室と、仕切体によって区画され、前記冷凍室の奥に形成される冷却室と、前記冷却室に配設され、前記貯蔵室に供給する空気を冷却する冷却器と、前記仕切体の前方に前面カバーを取り付けることにより形成され、前記冷却器で冷却された前記空気を流す冷凍室供給風路と、前記空気を前記冷凍室の奥を経由して前記野菜室へと供給する野菜室供給風路と、を備え、前記冷凍室の奥に形成される前記野菜室供給風路は、前記仕切体及び前記前面カバーとは別に設けられる野菜室風路カバーによって区画された空間に形成されることを特徴とする。
【発明の効果】
【００１５】
本発明の冷蔵庫によれば、野菜室供給風路は、冷却室を区画する仕切体及び冷凍室供給風路を区画する前面カバーとは別に独立して設けられる野菜室風路カバーによって区画された空間に形成される。
【００１６】
そのため、冷却室または冷凍室供給風路と野菜室供給風路との間を直接に区画するシール部をなくすことができる。即ち、冷却室または冷凍室供給風路を区画する仕切体や前面カバーに取り付けられるシール部材は、冷却室または冷凍室供給風路と冷凍室との間をシールし、野菜室供給風路に取り付けられるシール部材は、野菜室供給風路と冷凍室との間をシールする。
【００１７】
これにより、冷却室または冷凍室供給風路から野菜室供給風路へと冷気が漏れることを防止することができる。また、冷却室が負圧になった際に、野菜室供給風路内の冷気が冷却室に吸引されることを防止することができる。その結果、野菜室の冷え過ぎや冷却不良を回避し、野菜室を適切な温度に維持することができる。
【００１８】
また、野菜室風路カバーを別部品として設けることにより、組立性が向上し、冷却室や冷凍室供給風路を形成する仕切体及び前面カバーのシール部をネジ止め等によって内箱に固定することができるようになる。その結果、冷却室または冷凍室供給風路から冷凍室への、またはその逆方向の、空気の漏れを防止することができる。
【００１９】
また、野菜室風路カバーの内側に、野菜室供給風路を形成する筒状の断熱部材を設けることにより、野菜室供給風路の組立性が向上すると共に、野菜室供給風路の気密性を更に高めることができる。また更に、野菜室供給風路とその外部との熱伝達を減らし、熱損失を低減することができる。
【００２０】
また、野菜室供給風路を、冷凍室の上面及び底面を各々形成する断熱仕切壁の内部を経由するよう形成しても良い。これにより、野菜室風路カバー及び前記断熱部材を上下方向に直線状に延在する部品として、野菜室供給風路を冷凍室の奥に容易に組み立てることができる。
【００２１】
また、野菜室風路カバーまたは前記断熱部材の上下端面を、シール部材を介して、前記断熱仕切壁と各々結合するよう構成しても良い。これにより、組み立て作業を容易に行うことができ、且つ野菜室供給ダクトの優れた気密性を確保することができる。
【００２２】
また、冷蔵室及び野菜室に流す空気の量を１つの駆動モータで各々独立して制御可能なダンパ装置を設け、冷蔵室を経由しない冷気を野菜室へと供給しても良い。これにより、冷蔵室の冷却とは独立して野菜室の冷却を行うことができ、野菜室の温度を適切に制御することができる。
【００２３】
また、前記ダンパ装置を、冷凍室の上面を形成する断熱仕切壁の奥に配置しても良い。これにより、直線状に延在する野菜室風路カバーまたは前記断熱部材を採用し、該上下端面を各々シールして断熱仕切壁に接合することにより、冷凍室の奥に野菜室供給風路を容易に形成することができる。
【００２４】
また、前記ダンパ装置を、その最上部が冷蔵室の底面より下方になるように配設しても良い。これにより、冷蔵室ダンパを閉じた状態において、冷蔵室内の空気が供給風路内の空気によって冷やされて、冷蔵室内に結露が発生することを防止できる。
【００２５】
また、冷蔵室から冷却室へと空気を流す帰還風路を設け、該帰還風路を、断熱箱体（内箱）の内壁と野菜室供給風路を形成する断熱部材とによって形成しても良い。これにより、気密性及び断熱性の高い帰還風路を形成することができ、帰還風路内を流れる空気によって、野菜室供給風路や冷凍室が暖められてしまうことを防ぐことができる。
【図面の簡単な説明】
【００２６】
【図１】本発明の実施形態に係る冷蔵庫の正面外観図である。
【図２】本発明の実施形態に係る冷蔵庫の概略構造を示す側面断面図である。
【図３】本発明の実施形態に係る冷蔵庫の供給風路を示す正面略図である。
【図４】本発明の実施形態に係る冷蔵庫の冷凍室奥の供給風路を説明するＡ−Ａ線断面図である。
【図５】本発明の実施形態に係る冷蔵庫の供給風路の構成を説明する分解斜視図である。
【図６】本発明の実施形態に係る冷蔵庫の野菜室供給風路を形成する断熱部材を示す横断面図である。
【図７】本発明の実施形態に係る冷蔵庫の（Ａ）ダンパ装置の組み付け、（Ｂ）上部仕切部材の取り付けを示す冷凍室上方の断熱仕切壁の斜視図である。
【発明を実施するための形態】
【００２７】
以下、本発明の実施形態に係る冷蔵庫を図面に基づき詳細に説明する。
【００２８】
図１は、本実施形態に係る冷蔵庫１の概略構造を示す正面外観図である。図２は、冷蔵庫１の右側面断面図である。図３は、冷蔵庫１の供給風路の概略を示す正面略図である。尚、図２及び図３において、各貯蔵室３〜７に供給される冷気の流れを実線矢印で、各貯蔵室３〜７から冷却室１３へと戻る空気の流れを破線矢印で示している。
【００２９】
図１に示すように、冷蔵庫１は、本体としての断熱箱体２を備え、該断熱箱体２の内部に食品等を貯蔵する貯蔵室を形成している。貯蔵室の内部は、保存温度や用途に応じて複数の収納室３〜７に区分されている。最上段が冷蔵室３、その下段左側が製氷室４で右側が上段冷凍室５、更にその下段が下段冷凍室６、最下段が野菜室７である。尚、製氷室４、上段冷凍室５及び下段冷凍室６は、何れも冷凍温度域の収納室であり、以下の説明では適宜、これらをまとめて冷凍室４〜６と称する。
【００３０】
断熱箱体２の前面は開口しており、前記各収納室３〜７に対応した前記開口部には、各々断熱扉８〜１２が開閉自在に設けられている。冷蔵室扉８ａ、８ｂは、冷蔵室３の前面を分割して塞ぐもので、冷蔵室扉８ａの左上下部及び冷蔵室扉８ｂの右上下部が断熱箱体２に回転自在に支持されている。また、断熱扉９〜１２は、冷蔵庫２の前方に引出自在に、断熱箱体２に支持されている。
【００３１】
図２に示すように、冷蔵庫２の本体である断熱箱体２は、前面に開口部を有する鋼板製の外箱２ａと、該外箱２ａの内側に間隙を持たせて配設され、前面に開口部を有する合成樹脂製の内箱２ｂと、前記外箱２ａと内箱２ｂとの間隙に充填発泡された発泡ポリウレタン製の断熱材２ｃと、から構成されている。尚、各断熱扉８〜１２も、断熱箱体２と同様の断熱構造を採用している。
【００３２】
冷蔵室３と、その下段に位置する冷凍室４〜６との間は、断熱仕切壁３５によって仕切られている。断熱仕切壁３５は、合成樹脂の成形品であり、その内部には断熱材が充填されている。
【００３３】
また、冷凍室４〜６内部の製氷室４と上段冷凍室５との間は、仕切壁（図面に表れない）によって仕切られている。製氷室４及び上段冷凍室５と、その下段に設けられた下段冷凍室６とは、冷気が流通自在に連通している。そして、冷凍室４〜６と野菜室７との間は、断熱仕切壁３６によって区分けされている。
【００３４】
また、冷凍室４〜６の奥側には、合成樹脂製の仕切部材である前面カバー２４で区画され、冷凍室供給風路１４が形成されている。具体的には、冷凍用供給風路１４は、仕切体２５とその前方に組み付けられる前面カバー２４との間に形成された空間であり、冷却器３３で冷却された冷気を流す風路となる。
【００３５】
前面カバー２４には、冷凍室４〜６に冷気を吹き出す開口である吹出口１５が形成されている。また、下段冷凍室６の下部背面には、冷凍室４〜６から冷却室１３へと空気を戻す戻り口２０が形成されている。
【００３６】
また、冷蔵室３の背面には、冷蔵室３へと冷気を供給する冷蔵室供給風路１６が形成されている。冷蔵室供給風路１６には、冷蔵室３に冷気を流す吹出口１７が形成されている。冷凍室供給風路１４と冷蔵室供給風路１６とは、ダンパ装置３４（風路開閉器）の冷蔵室ダンパ３４ａを介して連通している。冷蔵室ダンパ３４ａは、冷蔵室３へと供給する冷気の流量を制御して、冷蔵室３内部の温度を適切に維持するためのものである。
【００３７】
内箱２ｂ内部の冷凍室供給風路１４の更に奥側には、仕切体２５で区分けされ形成された冷却室１３が設けられている。即ち、冷却室１３は、内箱２ｂと仕切体２５とによって挟まれて形成された空間である。冷却室１３上部の仕切体２５には、冷却室１３と冷凍室供給風路１４とをつなぐ開口１３ａが形成されており、開口１３ａには、各貯蔵室３〜７に冷気を供給するための送風機３２が配設されている。他方、冷却室１３の下方には、貯蔵室からの帰還冷気を冷却室１３の内部へと吸入する開口１３ｂが形成されている。
【００３８】
そして、冷却室１３の内部には、循環する空気を冷却するための冷却器３３（蒸発器）が配置されている。冷却器３３は、圧縮器３１、放熱器（図示せず）、膨張弁（キャピラリーチューブ）（図示せず）に冷媒配管を介して接続されており、蒸気圧縮式の冷凍サイクル回路を構成するものである。尚、本実施形態に係る冷蔵庫１では、前記冷凍サイクルの冷媒として、イソブタン（Ｒ６００ａ）を用いている。
【００３９】
図３に示すように、冷蔵庫１は、冷蔵室３から冷却室１３（図２参照）へと空気を流す帰還風路２１を備えている。冷蔵室３の下部には、帰還風路２１につながる開口である戻り口２２が形成されている。冷蔵室３内の空気は、戻り口２２を介して帰還風路２１へと流れ、冷却器３３の下方へと流れる。
【００４０】
また、帰還風路２１の前方には、冷却器３３で冷却された空気を野菜室７へと流す野菜室供給風路１８が形成されている。野菜室供給風路１８は、冷凍室供給風路１４から上方に分岐して、冷凍室４〜６の上方の断熱仕切壁３５の内部を経由して下方に向きを変え、冷凍室４〜６の奥を通過している。そして、断熱仕切壁３６を貫通して野菜室７へとつながっている。野菜室７には、野菜室供給風路１８から冷気を吹き出す開口である吹出口１９が形成されている。
【００４１】
断熱仕切壁３５の奥側の野菜室供給風路１８には、野菜室に供給する冷気の流れを制御する野菜室ダンパ３４ｂが設けられている。これにより、冷蔵室３の冷却とは独立して野菜室７の冷却を行うことができ、野菜室７の温度を適切に制御することができる。
【００４２】
また、野菜室７には、戻り口２９が形成されており、野菜室７内の空気は、戻り口２９から野菜室帰還風路２３（図２参照）及び開口１３ｂ（図２参照）を経由して冷却室１３の下部へと流れる。
【００４３】
図４は、冷蔵庫１の冷凍室４〜６奥の供給風路を説明する断面図であり、図３におけるＡ−Ａ線断面を表している。
【００４４】
図４に示すように、内箱２ｂに組み付けられる仕切体２５によって冷却室１３が区画形成され、その冷却室１３に冷却器３３が配設されている。また、仕切体２５と、その前方に取り付けられる前面カバー２４とによって冷凍室供給風路１４が区画形成されている。
【００４５】
仕切体２５及び前面カバー２４は、該両側縁部２４ｂ、２５ｂ（シール部）が、図示しないシール部材を介して、例えばネジ等によって内箱２ｂに固定されている。これにより、冷却室１３や冷凍室供給風路１４の気密性を高めることができる。
【００４６】
冷凍室４〜６の奥側の冷却室１３及び冷凍室供給風路１４の右側の内箱２ｂには、野菜室風路カバー２６が取り付けられる。そして、野菜室風路カバー２６によって区画された空間、即ち、野菜室風路カバー２６と内箱２ｂとによって挟まれた空間には、野菜室供給風路１８を形成する略筒形状に組み立てられた断熱部材２７、２８が配設される。
【００４７】
ここで、従来技術の冷蔵庫では、仕切板や前面カバーで野菜室供給風路を形成することが行われていた。即ち、本願発明の仕切体２５と野菜室風路カバー２６とに相当する部品が一体成形された一つの部品となり、冷却室の横に野菜室供給風路を形成することがあった。また、本願発明の前面カバー２４と野菜室風路カバー２６とに相当する部品が一体成形された一つの部品として、冷凍室冷却風路の横に野菜室供給風路を形成することも考えられる。
【００４８】
このような従来技術の構成では、冷却室または冷凍室供給風路と野菜室供給風路とを直接に区画してシールする部分が必要であった。具体的には、冷却室または冷凍室供給風路と野菜室供給風路とを区画する部分で仕切体と内箱とを、または前面カバーと仕切体とを、発泡ゴム材料等からなるシール部材を挟んで当接させていた。しかしながら、各部品の加工寸法誤差やウレタン発泡による変形、仕切体と前面カバーとをネジ止め困難である等の理由により、当該シール部には隙間が発生し易く、冷気が漏れる原因となっていた。
【００４９】
これに対して本願発明では、前述の通り、野菜室供給風路１８は、冷却室１３や冷凍室供給風路１４を形成する仕切体２５及び前面カバー２４とは別に独立して設けられる野菜室風路カバー２６によって区画された空間に形成される。これにより、冷却室１３または冷凍室供給風路１４と野菜室供給風路１８との間を直接に区画するシール部をなくすことができる。即ち、冷却室１３または冷凍室供給風路１４を区画する仕切体２５や前面カバー２４に取り付けられるシール部材は、冷却室１３または冷凍室供給風路１４と冷凍室４〜６との間をシールする構成である。
【００５０】
これにより、冷却室１３または冷凍室供給風路１４から野菜室供給風路１８へと冷気が漏れることを防止することができる。また、冷却室１３が負圧になった際に、野菜室供給風路１８内の冷気が冷却室１３に吸引されることを防止することができる。その結果、野菜室７（図２参照）の冷え過ぎや冷却不良を回避し、野菜室７に冷却保存される食品等の品質劣化を防止することができる。
【００５１】
また、野菜室供給風路１８の更に奥には、断熱部材２８と内箱２ｂとによって帰還風路
２１が形成されている。断熱部材２８と内箱２ｂとの接合部分には、例えば発泡ゴム材料等からなるシール部材４１を挟み込み気密性を確保している。このように、断熱部材２８によって帰還風路２１を形成することにより、気密性及び断熱性を確保することができ、帰還風路２１内を流れる空気によって野菜室供給風路１８や冷凍室４〜６が暖められてしまうことを防ぐことができる。
【００５２】
図５は、冷蔵庫１の供給風路の構成を説明する分解斜視図である。図５において、説明のため、冷蔵庫１を、背面付近では冷凍室４〜６の上面付近で破断し、前方では適当な曲面で破断した部分破断図として表している。背面付近の破断面より下方には、本図には表れない冷却室１３（図４参照）や冷凍室供給風路１４（図４参照）がある。
【００５３】
図５に符号（Ｉ）で示すように、野菜室風路カバー２６は、横断面略コ字状で直線状に延在する合成樹脂製の部品である。野菜室風路カバー２６の内部には、例えばポリスチレン等の樹脂材料から成り、所定の横断面形状を有し直線状に延在する断熱部材２７と断熱部材２８とが配設されている。断熱部材２７及び断熱部材２８は、互いに組み合わされて、同図（II）に示す如く、略筒形状の形態を成し、野菜室供給風路１８を形成する。
【００５４】
このように、野菜室風路カバー２６の内側に、野菜室供給風路１８を形成する略筒形状の断熱部材２７、２８を設けることにより、野菜室供給風路１８の組立性が向上すると共に、野菜室供給風路１８の気密性を更に高めることができる。また更に、野菜室供給風路１８とその外部との熱伝達を減らし、熱損失を低減することができる。
【００５５】
そして、略筒形状に組み立てられた断熱部材２７、２８の上下端面には、例えば発泡ゴム材料等からなるシール部材４０が取り付けられ、同図（III）に示す如く、冷凍室４〜６の背面に組み付けられる。そして、断熱部材２７、２８の上下端面は、シール部材４０を介して、断熱仕切壁３５（図２参照）及び断熱仕切壁３６に各々結合される。ここで取り付けられるシール部材４０は、野菜室供給風路１８と冷凍室４〜６との間をシールする。
【００５６】
このように、冷蔵庫１では、野菜室供給風路１８を形成する断熱部材２７、２８の上下端面のみをシールする構成であるので、組立が容易であり、且つ優れた気密性を発揮することができる。
【００５７】
また、冷蔵庫１では、仕切体２５や前面カバー２４を取り付けた後に野菜室風路カバー２６を組み付ける構成を採用している。これにより、組立性が向上し、前述の通り、仕切体２５及び前面カバー２４の右側のシール部２４ｂ、２５ｂをネジ止め等によって内箱２ｂに固定することができるようになる。その結果、冷却室１３または冷凍室供給風路１４から冷凍室４〜６への、またはその逆方向の、空気の漏れを防止することができる。
【００５８】
また、野菜室風路カバー２６には、野菜室風路カバー２６を固定するための係止部２６ａ、２６ｂが形成されている。係止部２６ａは、前面カバーに形成された係止受部２４ａに係合し、係止部２６ｂは内箱２ｂに形成された図示しない係合受部に係合する。これにより、野菜室風路カバー２６を容易に取り付けることができ、組立作業性が向上する。尚、野菜室風路カバー２６をネジ止め等により固定する方法を採用しても良い。
【００５９】
図６は、野菜室供給風路１８を形成する断熱部材２７、２８を示す横断面図である。図６の符号（Ｉ）に示すように、断熱部材２７及び断熱部材２８には、両部品を組み合わせたときに嵌合する凸部２７ａ及び凹部２８ａが形成されている。具体的には、断熱部材２７には、嵌合部である凸部２７ａが形成されており、断熱部材２８には、凹部２８ｂが形成されている。これにより、同図（II）に示す如く、断熱部材２７、２８を組み立てた際に、凸部２７ａと凹部２８ａとが嵌合し、該嵌合により優れた保持力とシール性能を確保することができる。その結果、前述の通り、断熱部材２７、２８の上下端面のみをシール部材４０（図５参照）でシールすることにより、気密性に優れた野菜室供給風路１８を容易に形成することができる。
【００６０】
ここで、凸部２７ａの幅寸法を、凹部２８ｂの幅寸法より僅かに大きく形成しても良い。これにより、凸部２７ａ及び凹部２８ａは、僅かな締め代を有して嵌合するので、該嵌合部の保持力とシール性能を更に高めることができる。
【００６１】
尚、前述した嵌合部（凸部２７ａ、凹部２８ａ）としては、その他種々の形態を作用し得る。断熱部材２７、２８の接合面に各々対応する形状（例えば、波形状等）の凹凸を形成することによっても、接合面積を増大させ当該部分のシール性を向上させることができる。また、接着剤を用いて当該接合部分を接合しても良く、当該接合部分にシール部材を設けても構わない。
【００６２】
また更に、断熱部材２７と断熱部材２８とを組み合わる構成に代えて、一体成形された略筒形状の断熱部材を採用しても良い。これにより、野菜室供給風路１８の組立性及び気密性を更に高めることができる。
【００６３】
また、断熱部材２８の断熱厚みｔ１（野菜室供給風路１８と断熱部材２８の外表面との距離）は、断熱部材２７の断熱厚みｔ２（野菜室供給風路１８と断熱部材２７の外表面との距離）よりも大きい。これにより、温度差が大きくなる野菜室供給風路１８と帰還風路２１との間の断熱性能を高めることができる。その結果、野菜室供給風路１８内の空気が帰還風路２１を流れる帰還空気によって暖められることによる野菜室７（図２参照）の冷却不足を防止することができる。
【００６４】
図７（Ａ）は、冷蔵庫１のダンパ装置３４の組み付けを説明する冷凍室４〜６上方に配置される断熱仕切壁３５の下部仕切部材３８の斜視図であり、同図（Ｂ）は、上部仕切部材３７を取り付けた状態を示す断熱仕切壁３５の斜視図である。
【００６５】
図７（Ａ）に示すように、断熱仕切壁３５を構成する合成樹脂製の下部仕切部材３８には、例えばポリスチレン等から成る断熱構造体３９が取り付けられる。断熱構造体３９には、冷凍室供給風路１６、野菜室供給風路１８及び帰還風路２１となる開口が形成されている。更に、断熱構造体３９には、野菜室供給風路１８を形成する凹溝３９ａが形成されている。
【００６６】
また、断熱構造体３９には、ダンパ装置３４が組み付けられている。前述の通り、ダンパ装置３４は、冷蔵室３（図２参照）に流す空気量を制御する冷蔵室ダンパ３４ａと、野菜室７（図２参照）に流す空気の量を制御する野菜室ダンパ３４ｂとを、１つの駆動モータ３４ｃで各々独立して制御可能に構成されている。
【００６７】
そして、断熱構造体３９及びダンパ装置３４が取り付けられた下部仕切部材３８に、図７（Ｂ）に示す如く、合成樹脂製の上部仕切部材３７が取り付けられ、断熱仕切壁３５が形成される。尚、上部仕切部材３７や断熱仕切壁３５は、図示した構成に限定されるものではなく、何らかの仕切部材により野菜室供給風路１８の上方が遮蔽され、冷蔵室供給風路１６及び帰還風路２１のみが上方に開口すれば良い。
【００６８】
これにより、野菜室供給風路１８は、冷凍室４〜６（図２参照）の上面（下部仕切部材３８）よりも上方に流れ、断熱仕切壁３５内部の風路を経由して下方に向きを変えた後、冷凍室４〜６の奥に形成された風路を流れて、野菜室７へと流れるように形成される。また、ダンパ装置３４は、断熱仕切壁３５の奥に配置されることになる。
【００６９】
このような構成を採用することにより、図５に示すように、野菜室風路カバー２６及び断熱部材２７、２８を直線状に延在する部品とすることができ、野菜室風路カバー２６及び断熱部材２７、２８の加工が容易になる。また、野菜室供給風路１８を冷凍室４〜６の奥に容易に組み立てることができる。
【００７０】
また、図７（Ａ）及び（Ｂ）に示すように、野菜室供給風路１８は、その最上部が冷蔵室３（図２参照）の底面（上部仕切部材３７）より下方になり、野菜室ダンパ３４ｂを通過した冷気が冷蔵室３を経由しないで野菜室７（図２参照）へと流れるよう形成される。これにより、野菜室７へと供給される冷気の熱損失を低減することができ、野菜室７の温度を効率良く適切に制御することができる。
【００７１】
また、ダンパ装置３４は、その最上部が冷蔵室３の底面（上部仕切部材３７）より下方になるように配設される。これにより、冷蔵室ダンパ３４ａを閉じた状態において、冷蔵室３内の空気が冷蔵室ダンパ３４ａ下方の空気によって冷やされて冷蔵室３内に結露が発生することを防止できる。
【００７２】
以上、本発明の実施形態に係る冷蔵庫について説明したが、本発明は、これに限定されるものではなく、本発明の要旨を逸脱しない範囲で、種々の変更が可能である。
【符号の説明】
【００７３】
１        冷蔵庫
２        断熱箱体
２ｂ      内箱
３        冷蔵室
４        製氷室（冷凍室）
５        上段冷凍室（冷凍室）
６        下段冷凍室（冷凍室）
７        野菜室
１３      冷却室
１４      供給風路（冷凍室供給風路）
１６      供給風路（冷蔵室供給風路）
１８      供給風路（野菜室供給風路）
２１      帰還風路
２４      前面カバー
２５      仕切体
２６      野菜室風路カバー
２７      断熱部材
２８      断熱部材
３５      断熱仕切壁
３６      断熱仕切壁
３２      送風機
３３      冷却器
３４      ダンパ装置
３４ｃ    駆動モータ
４０      シール部材
【図１】
2015004489.tif 000003
【図２】
2015004489.tif 000004
【図３】
2015004489.tif 000005
【図４】
2015004489.tif 000006
【図５】
2015004489.tif 000007
【図６】
2015004489.tif 000008
【図７】
2015004489.tif 000009